(57)【要約】【課題】洗浄液を吐出する機構を備え、汚れを除去する洗浄部と洗浄液を払拭する払拭部の切り替えが容易な清掃具を提供することを目的とする。【解決手段】本発明は、太陽光パネル２の汚れを除去する洗浄モップ３と、太陽光パネル２に洗浄液４を吐出するスプレーノズル２２と、太陽光パネル２に付着した洗浄液４を払拭するワイパー６と、スプレーノズル２２を保持する上ヘッド部４１と、洗浄モップ３及びワイパー６を保持する下ヘッド部６１と、を備え、下ヘッド部６１が上ヘッド部４１に回動自在に軸支され、洗浄モップ３の太陽光パネル２への接触とワイパー６の太陽光パネル２への接触とが下ヘッド部６１の回動により切り替わる構成となっている。【選択図】図１２
2019005422.tif 000002
【特許請求の範囲】
【請求項１】
被洗浄体の汚れを除去する洗浄部と、
前記被洗浄体に洗浄液を吐出する吐出部と、
前記被洗浄体に付着した前記洗浄液を払拭する払拭部と、
前記吐出部を保持する上ヘッド部と、
前記洗浄部及び前記払拭部を保持する下ヘッド部と、を備え、
前記下ヘッド部が前記上ヘッド部に回動自在に軸支され、
前記洗浄部の前記被洗浄体への接触と前記払拭部の前記被洗浄体への接触とが前記下ヘッド部の回動により切り替わることを特徴とする清掃具。
【請求項２】
前記洗浄部を前記被洗浄体に接触させて一方向に移動させると、前記洗浄部と前記被洗浄体との接触状態を維持でき、前記払拭部を前記被洗浄体に接触させて他方向に移動させると、前記払拭部と前記被洗浄体との接触状態を維持できる構成としたことを特徴とする請求項１に記載の清掃具。
【請求項３】
前記下ヘッド部の回動範囲を規制する規制部を備えることを特徴とする請求項１又は２に記載の清掃具。
【請求項４】
前記下ヘッド部が弾性部材により後ろ斜め上方向に付勢されていることを特徴とする請求項３に記載の清掃具。
【請求項５】
前記吐出部が前記洗浄部よりも前側に配設され、前記払拭部が前記洗浄部よりも後側に配設されることを特徴とする請求項１〜４のいずれか１項に記載の清掃具。
【請求項６】
前記洗浄液を貯留する貯留部を備え、前記洗浄液を前記貯留部から前記吐出部に供給可能であることを特徴とする請求項１〜５のいずれか１項に記載の清掃具。
【請求項７】
前記吐出部への前記洗浄液の供給を操作可能な操作部を備えることを特徴とする請求項６に記載の清掃具。
【発明の詳細な説明】
【技術分野】
【０００１】
本発明は、太陽光パネルや窓等を洗浄する清掃具に関する。
【背景技術】
【０００２】
太陽光パネルや窓等の表面に砂埃や鳥の糞等の汚れが付着すると、外観性や光の透過率が低下してしまうため、太陽光パネルや窓等の表面は定期的に汚れを除去する清掃を行う必要がある。
【０００３】
太陽光パネルや窓等の表面の清掃具としては、例えば、特許文献１に記載された洗浄具が知られている。この洗浄具は、汚れを除去する軟質発泡体と、洗浄液を拭き取る拭き取りブレードを備えている。
【０００４】
また、特許文献２には、洗浄液を含有させる布体を備えた洗浄液付与体と、洗浄液を拭き取るゴムブレードを備えたスクイジーが同一方向に並行して設けられた窓拭き用具が記載されている。
【先行技術文献】
【特許文献】
【０００５】
【特許文献１】特開２００２−１７６１８号公報
【特許文献２】特開２０１２−４００６６号公報
【発明の概要】
【発明が解決しようとする課題】
【０００６】
しかしながら、特許文献１に記載の洗浄具は、軟質発泡体とブレードが反対方向を向いて設けられているため、清掃作業時には、汚れを除去する時と洗浄液を拭き取る時に洗浄具を１８０°回転させる必要があり、作業が煩雑になるという問題があった。特に、被洗浄体が大きな窓等であって、洗浄箇所が作業者から離れた位置にある場合には、その煩雑さが顕著となっていた。
【０００７】
また、特許文献２に記載の窓拭き用具は、スクイジーが洗浄液付与体よりも先端側に設けられているため、ゴムブレードで洗浄液を拭き取る際にゴムブレードを拭き取り面に接触させるため、作業者は把持部を所定以上の高さまで持ち上げる必要があった。把持部を持ち上げた状態で維持するため、腕を上げての拭き取り作業となり、作業による疲労が大きくなるという問題があった。また、布体に洗浄液を含有させるには、バケツ等に充填された洗浄液に布体をつける必要であり、清掃作業が煩雑となっていた。
【０００８】
そこで本発明は、洗浄液を吐出する機構を備え、汚れを除去する洗浄部と洗浄液を払拭する払拭部の切り替えが容易な清掃具を提供することを目的とする。
【課題を解決するための手段】
【０００９】
請求項１の清掃具は、被洗浄体の汚れを除去する洗浄部と、前記被洗浄体に洗浄液を吐出する吐出部と、前記被洗浄体に付着した前記洗浄液を払拭する払拭部と、前記吐出部を保持する上ヘッド部と、前記洗浄部及び前記払拭部を保持する下ヘッド部と、を備え、前記下ヘッド部が前記上ヘッド部に回動自在に軸支され、前記洗浄部の前記被洗浄体への接触と前記払拭部の前記被洗浄体への接触とが前記下ヘッド部の回動により切り替わることを特徴とする。
【００１０】
請求項２の清掃具は、前記洗浄部を前記被洗浄体に接触させて一方向に移動させると、前記洗浄部と前記被洗浄体との接触状態を維持でき、前記払拭部を前記被洗浄体に接触させて他方向に移動させると、前記払拭部と前記被洗浄体との接触状態を維持できる構成としたことを特徴とする。
【００１１】
請求項３の清掃具は、前記下ヘッド部の回動範囲を規制する規制部を備えることを特徴とする。
【００１２】
請求項４の清掃具は、前記下ヘッド部が弾性部材により後ろ斜め上方向に付勢されていることを特徴とする。
【００１３】
請求項５の清掃具は、前記吐出部が前記洗浄部よりも前側に配設され、前記払拭部が前記洗浄部よりも後側に配設されることを特徴とする。
【００１４】
請求項６の清掃具は、前記洗浄液を貯留する貯留部を備え、前記洗浄液を前記貯留部から前記吐出部に供給可能であることを特徴とする。
【００１５】
請求項７の清掃具は、前記吐出部への前記洗浄液の供給を操作可能な操作部を備えることを特徴とする。
【発明の効果】
【００１６】
請求項１の発明によれば、洗浄部と被洗浄体との接触と、払拭部と被洗浄体との接触とを、下ヘッド部の回動により切り替えることができる。
【００１７】
請求項２の発明によれば、清掃具を一方向に移動させることにより汚れを除去し、清掃具を他方向に移動させることにより洗浄液を払拭することができる。
【００１８】
請求項３の発明によれば、清掃具を前方に移動させることにより汚れを除去し、清掃具を後方に移動させることにより洗浄液を払拭することができる。
【００１９】
請求項４の発明によれば、下ヘッド部を後ろ斜め上方向に付勢することができる。
【００２０】
請求項５の発明によれば、吐出部から洗浄液を吐出し、清掃具を前方に移動させることで、被洗浄体を洗浄することができ、清掃具を後方に移動させることで、被洗浄体に付着した洗浄液を払拭することができる。
【００２１】
請求項６の発明によれば、水道等の洗浄液を供給する設備がない場所であっても洗浄液を吐出することができる。
【００２２】
請求項７の発明によれば、洗浄液を吐出するタイミングと、洗浄液の吐出量を調節することができる。
【図面の簡単な説明】
【００２３】
【図１】本発明の実施形態１の清掃具の使用状態を示す斜視図である。
【図２】同上、清掃具の底面を示す図である。
【図３】同上、清掃具の左側を示す斜視図である。
【図４】同上、モップカバーの斜視図である。
【図５】同上、清掃具の前側を示す斜視図である。
【図６】同上、清掃具の後側を示す斜視図である。
【図７】同上、清掃具の前側を示す斜視図である。
【図８】同上、清掃具の後側を示す斜視図である。
【図９】同上、清掃具の前側を示す斜視図である。
【図１０】同上、下ヘッド部が拭き取り位置にある清掃具の左側を示す斜視図である。
【図１１】同上、下ヘッド部が払拭位置にある清掃具の左側を示す斜視図である。
【図１２】同上、下ヘッド部が拭き取り位置にある清掃具の使用状態を示す斜視図である。
【図１３】同上、下ヘッド部が払拭位置にある清掃具の使用状態を示す斜視図である。
【発明を実施するための形態】
【００２４】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００２５】
図１〜図１３は本発明の実施形態１を示し、本実施形態の清掃具１は、図１に示すような傾斜して設置された被洗浄体としての太陽光パネル２のパネル表面２Ａを洗浄するものである。清掃具１は、太陽光パネル２のパネル表面２Ａに付着した汚れを除去する洗浄部としての洗浄モップ３と、太陽光パネル２のパネル表面２Ａに洗浄液４を吐出する吐出装置５と、太陽光パネル２のパネル表面２Ａに付着した洗浄液４を払拭する払拭部としてのワイパー６と、洗浄作業を行う作業者７が把持する把持部としての伸縮パイプ８を備えている。なお、本実施形態においては、図２に示す矢印Ｆ、Ｂ、Ｌ、Ｒの指示方向をそれぞれ清掃具１の前、後、左、右として説明する。
【００２６】
洗浄モップ３は、図３に示す長手方向（左右方向）両端が開口した楕円筒状のモップ芯部１１に、図４等に示すモップカバー１２を取り付けたものである。モップカバー１２は、ナイロン製の布地を袋状に形成したカバー本体１３と、カバー本体１３に取り付けられた拭き取り部１４から構成されている。
【００２７】
カバー本体１３は、長手方向の一端側（左側）に袋状に縫合された袋状部１３Ａが形成され、長手方向の他端側（右側）に面ファスナー１５により開閉可能な開閉部１３Ｂが形成されている。袋状部１３Ａは、一端側が閉口し、開閉部１３Ｂ側である他端側が開口している。拭き取り部１４は、ナイロンやポリエステル等の合成繊維からなる、いわゆるマイクロファイバーにより形成されている。なお、カバー本体１３は、耐久性等を考慮して任意の素材を使用可能である。また、拭き取り部１４は、汚れを除去可能なものであれば、その素材は任意に選択可能である。
【００２８】
モップ芯部１１は、比較的軽量の金属であるアルミニウムにより形成されているが、所定の強度を有する合成樹脂等により形成してもよい。モップ芯部１１にモップカバー１２を取り付ける際は、モップカバー１２の袋状部１３Ａにモップ芯部１１の一端側（左側）を挿入した後、モップ芯部１１の他端側（右側）を開閉部１３Ｂで被覆し、面ファスナー１５により開閉部１３Ｂを閉じる。モップカバー１２の大きさはモップ芯部１１の大きさに対応させてあり、また、上述の通りモップ芯部１１は楕円筒状に形成されているため、モップカバー１２がモップ芯部１１を中心として回転し難くなっている。さらに、モップ芯部１１の表面部１６の他端側には滑り止め部としての滑り止めシート１７が貼り付けてあり、モップカバー１２がより回転し難くなっている。なお、モップ芯部１１の表面部１６の一端側に滑り止めシート１７を貼り付けていないのは、モップ芯部１１の一端側をモップカバー１２の袋状部１３Ａに出し入れし易くするためであるが、モップカバー１２の回転防止効果を高めるため、モップ芯部１１の表面部１６の一端側にも滑り止めシート１７を貼り付けてもよい。このように、モップカバー１２はモップ芯部１１に着脱可能であるため、モップカバー１２は容易に交換することができる。
【００２９】
洗浄液４は、水道水、純水、液体洗剤等、除去する汚れの種類等を考慮して任意に選択可能である。
【００３０】
図１や図３等に示すように、吐出装置５は、ノズルヘッド２１と、ノズルヘッド２１に設けられた洗浄液４を噴射する２つのスプレーノズル２２と、洗浄液４の噴射と停止を操作するレバーノズル２３と、洗浄液４を貯留する貯留部としてのタンク２４と、タンク２４から伸縮パイプ８に取り付けられたレバーノズル２３に洗浄液４を流入させるタンク側コイルホース２５と、レバーノズル２３からスプレーノズル２２に洗浄液４を流入させるノズル側コイルホース２６を有して構成されている。ノズル側コイルホース２６には、ホース連結部２８が設けられており、このホース連結部２８により、ノズル側コイルホース２６を構成するノズルヘッド側ホース２６Ａとレバーノズル側ホース２６Ｂが着脱可能となっている。ノズルヘッド側ホース２６Ａは、ノズルヘッド２１内で分岐し、２つのスプレーノズル２２に連結されている。ノズルヘッド２１はノズルヘッド側ホース２６Ａの保護カバーであると共に、スプレーノズル２２を固定する固定基部として機能するものである。なお、スプレーノズル２２は２つに限られるものではなく、１つ又は３つ以上設けてもよい。
【００３１】
本実施形態のタンク２４は背負い式のものであり、作業者７が背負った状態で洗浄作業を行うことが可能である。タンク２４は、電池（図示せず）を電源としてタンク２４内に貯留した洗浄液４を電動でタンク側コイルホース２５を通ってレバーノズル２３に流入させることができるようになっている。レバーノズル２３には操作部としての操作レバー２７が設けられており、操作レバー２７を握って引くと、レバーノズル２３からノズル側コイルホース２６に洗浄液４を流入させることができ、操作レバー２７を緩めると洗浄液４のノズル側コイルホース２６への流入を停止させることができる。レバーノズル２３からノズル側コイルホース２６に流入した洗浄液４は、スプレーノズル２２から噴射される。なお、本実施形態のタンク２４の容量は１０リットルであるが、タンク２４の大きさは適宜変更可能であり、作業者７の周囲の地面等に載置するものであってもよい。
【００３２】
図３等に示すように、ワイパー６は、グラファイトゴム、シリコンゴム、天然ゴム等の可撓性を有する軟質素材により所定の厚みを有する矩形シート状に形成されている。ワイパー６は、アルミニウムにより板状に形成された取付板３１及び挟持板３２により挟持された状態で、複数のボルト３３とナット３４により固定されている。したがって、ワイパー６は着脱可能であり、容易に交換することができる。
【００３３】
取付板３１は、取付板本体部３５と略直角に折り曲げた折曲部３６を有している。取付板本体部３５の下側部分には、折曲部３６と反対の方向にわずかに反った湾曲部３７が形成されている。挟持板３２は、横方向の長さが取付板３１と略同一に形成されている。ワイパー６を取付板３１に取り付けた状態では、ワイパー６の下端部６Ａが取付板本体部３５の下端部３５Ａよりも下方に位置している。なお、取付板３１及び挟持板３２は所定の強度を有する硬質の合成樹脂材等により形成してもよい。
【００３４】
図５及び図６等に示すように、上ヘッド部４１は、矩形板状に形成されたヘッド基部４２を有し、ヘッド基部４２の後面４３には伸縮パイプ８を取り付けるパイプ取付部４４が設けられている。伸縮パイプ８は、パイプ取付部４４に着脱可能に取り付けられる。
【００３５】
ヘッド基部４２の前面４５の上部には、ノズルヘッド２１を取り付ける薄板状のノズルヘッド取付部４６が設けられている。ノズルヘッド取付部４６は、逆凹字状の取付板部４７と、取付板部４７の上端部から前側に略水平に突設した矩形状の天板部４８と、天板部４８の左右両端部から垂下した左垂板部４９及び右垂板部５０を有している。左垂板部４９及び右垂板部５０の後端部は、取付板部４７に接合されている。左垂板部４９及び右垂板部５０は、上下方向の幅が前側よりも後側が大きく、側面視において台形状に形成されている。
【００３６】
天板部４８の上面の前側部分には、ノズルヘッド２１が取り付けられている。ノズルヘッド２１は、天板部４８の左右にスプレーノズル２２が配置されるように取り付けられている。
【００３７】
ヘッド基部４２の前面４５の中央部分には、規制部を構成する板状の当接体５１が前側に突出して設けられている。当接体５１の前側下部には、後述するストッパーボルト６８に当接する当接部５２が形成されている。当接部５２は、当接体５１の前側下部を切り欠いて形成されており、当接体５１は側面視において台形状に形成されている。また、ヘッド基部４２の前面４５の下部には、軸棒５３を挿通する２つの軸筒５４を備えた、上側軸保持部５５が設けられている。
【００３８】
図７〜図９等に示すように、下ヘッド部６１は、薄板状に形成されており、底板部６２と、底板部６２の左右両端から立設した左板部６３及び右板部６４と、底板部６２の後端から立設した後板部６５を有している。後板部６５は、左板部６３及び右板部６４と接合している。底板部６２の上面後側には、下側軸保持部６６が後板部６５に当接して設けられている。この下側軸保持部６６の上部の左右方向中央部には、軸棒５３を挿通する軸孔（図示せず）を有する軸挿通部６７が形成されている。
【００３９】
底板部６２の上面前側には、規制部を構成するストッパーボルト６８が設けられており、このストッパーボルト６８に当接体５１が当接可能となっている。ストッパーボルト６８は、軸部６９を圧縮コイルばね７０に挿通した状態で底板部６２に形成された貫通孔（図示せず）に挿通され、底板部６２の下方に設けられた抜け止めナット７１に螺合されている。ストッパーボルト６８は、圧縮コイルばね７０により上方に付勢されており、抜け止めナット７１が底板部６２の下面に当接している。ストッパーボルト６８を圧縮コイルばね７０の付勢力よりも大きな力で下方に押し下げると、圧縮コイルばね７０が収縮し、ストッパーボルト６８が底板部６２に対して相対的に下方に移動可能となっている。また、ストッパーボルト６８と抜け止めナット７１との螺合位置を調節することにより、ストッパーボルト６８が底板部６２より上方に突出する長さを変更することができる。さらに、ストッパーボルト６８の頭部７２には、可撓性を有する合成樹脂製の弾性部７３が設けられており、この弾性部７３が当接体５１の当接部５２とストッパーボルト６８との当接時の衝撃を緩和している。
【００４０】
底板部６２の下面の前側部分には、洗浄モップ３のモップ芯部１１が取り付けられている。モップ芯部１１の長手方向中央部が底板部６２に固定されている。
【００４１】
後板部６５には、取付板３１の取付板本体部３５の長手方向（左右方向）中央部分が取り付けられており、ワイパー６は後板部６５と略並行に配設される。
【００４２】
下ヘッド部６１は、軸棒５３を介して上ヘッド部４１に軸支されている。下ヘッド部６１の軸挿通部６７を上ヘッド部４１の２つの軸筒５４の間に配置し、軸棒５３を軸挿通部６７及び軸筒５４に挿通する。軸棒５３の一端には軸棒頭部５６が設けられ、他端には抜け止め用の軸棒ナット５７が設けられており、軸棒頭部５６と軸棒ナット５７により軸棒５３が軸挿通部６７及び軸筒５４から抜けないようになっている。また、軸筒５４と軸棒頭部５６との間及び軸筒５４と軸棒ナット５７との間には、ワッシャ５８が軸棒５３を挿通した状態で設けられている。
【００４３】
上ヘッド部４１のヘッド基部４２の左側面部４２Ａには、弾性部材としての引張コイルばね８１の上側フック部８２を係止する上係止部８３が設けられている。また、下ヘッド部６１の左板部６３にも引張コイルばね８１の下側フック部８４を係止する下係止部８４が設けられている。この上係止部８３及び下係止部８４に引張コイルばね８１の上側フック部８２及び下側フック部８４が係止されており、引張コイルばね８１は上ヘッド部４１と下ヘッド部６１に係止されている。
【００４４】
図１０及び図１１等に示すように、上係止部８３は軸棒５３よりも後ろ斜め上方に位置し、下係止部８４は軸棒５３の下方に位置している。そのため、引張コイルばね８１の付勢力により下ヘッド部は軸棒５３を中心に後方に回動し、下側軸保持部６６に形成された突当部７４が上ヘッド部４１の上側軸保持部５５の下面部５５Ａに当接するように付勢されている。突当部７４は、合成樹脂材により形成されている。
【００４５】
下ヘッド部６１を引張コイルばね８１の付勢力に抗して軸棒５３を中心に回動させると、ストッパーボルト６８の弾性部７３が当接体５１の当接部５２に当接する位置まで回動させることができる。したがって、下ヘッド部６１の回動範囲は、突当部７４が上ヘッド部４１の上側軸保持部５５の下面に当接した位置から、当接体５１がストッパーボルト６８に当接した位置までの範囲である。この回動範囲は、ストッパーボルト６８と抜け止めナット７１との螺合位置を調節することにより変更可能であり、太陽光パネル２の傾斜角度や作業者７の身長等を考慮して使用時に適宜変更すればよい。
【００４６】
ここで、上ヘッド部４１に対する下ヘッド部６１の動作について説明する。上述のように下ヘッド部６１は、軸棒５３を介して上ヘッド部４１に軸支されているため、上ヘッド部４１に対して軸棒５３を中心に回動自在となっている。しかしながら、下ヘッド部６１は、引張コイルばね８１により付勢されており、下側軸保持部６６に形成された突当部７４が上ヘッド部４１の上側軸保持部５５の下面部５５Ａに当接している。以下、この位置を下ヘッド部６１の拭き取り位置という。図１０に示すように、拭き取り位置では洗浄モップ３の拭き取り部１４が下側に向いており、ワイパー６は略垂直状態となっている。パネル表面２Ａに付着した汚れを除去するために、拭き取り部１４をパネル表面２Ａに接触させ、図１０に示す白抜き矢印の方向（清掃具１の前側方向）に移動させると、パネル表面２Ａと拭き取り部１４との間に生じる摩擦力が下ヘッド部６１に対して後方向に付加される。この摩擦力により、下ヘッド部６１は軸棒５３を中心に図１０に示す黒塗り矢印の方向に付勢され、拭き取り位置で維持される。拭き取り位置にある時には、ワイパー６はパネル表面２Ａと接触しないように調整されている。
【００４７】
パネル表面２Ａに付着した洗浄液４を払拭する場合には、ワイパー６をパネル表面２Ａに接触させ、図１１に示す白抜き矢印の方向（清掃具１の後側方向）に移動させると、パネル表面２Ａとワイパー６との間に生じる摩擦力が下ヘッド部６１に対して前方向に付加される。この摩擦力により、下ヘッド部６１は軸棒５３を中心に図１１に示す黒塗り矢印の方向に回動し、ストッパーボルト６８が当接部５２に当接した位置となる。以下、この位置を下ヘッド部６１の払拭位置という。ワイパー６をパネル表面２Ａに接触させ、図１１に示す白抜き矢印の方向に移動させている間は、下ヘッド部６１を払拭位置で維持させることができる。払拭位置では、洗浄モップ３はパネル表面２Ａと接触しないように調整されている。
【００４８】
伸縮パイプ８は、任意に長さを調節可能なものであり、作業者７から洗浄位置までの距離に対応させて長さを調節すればよい。伸縮パイプ８には、ノズル側コイルホース２６が巻き付けられており、伸縮パイプ８の伸縮に対応してノズル側コイルホース２６も伸縮可能となっている。
【００４９】
スプレーノズル２２は、洗浄液４を充円錐状、空円錐状、扇状等に噴射可能なものから所望のものを選択することができ、これにより洗浄液４の噴射範囲を決定することができる。なお、洗浄液４は太陽光パネル２のパネル表面２Ａに吐出されればよいため、スプレーノズル２２は洗浄液４を噴射するものではなく、例えば、洗浄液４を流出させるものであってもよい。
【００５０】
次に、清掃具１の使用方法について説明する。タンク２４に洗浄液４を供給した後、作業者７はタンク２４を背負って、タンク２４の電源を入れる。次に、太陽光パネル２のパネル表面２Ａに拭き取り部１４を載置し、図１２に示すように、操作レバー２７を操作してスプレーノズル２２から洗浄液４を噴射する。拭き取り前にパネル表面２Ａに洗浄液４を噴射することにより、汚れを浮き上がらせることができ、汚れの除去が容易となる。なお、洗浄液４をパネル表面２Ａだけでなく、洗浄モップ３の拭き取り部１４にも噴射するようにスプレーノズル２２の位置や洗浄液４の噴射範囲を設定することにより、洗浄前に拭き取り部１４に洗浄液４を染み込ませ、汚れを除去し易くすることができる。
【００５１】
スプレーノズル２２は、洗浄モップ３よりも前側に位置しているため、洗浄液４は洗浄モップ３よりも前方のパネル表面２Ａに噴射される。そのため洗浄モップ３を前方へ移動させることにより、拭き取り部１４により洗浄液４が噴射されたパネル表面２Ａを洗浄することができる。なお、汚れが落ち難い場合には、伸縮パイプ８をやや持ち上げることで、下ヘッド部６１が払拭位置であっても拭き取り部１４をパネル表面２Ａに接触させることができるため、この状態で清掃具１を前後に動かして汚れを拭き取ることができる。
【００５２】
汚れを落とした後は、操作レバー２７を操作して洗浄液４の噴射を停止し、パネル表面２Ａに残った洗浄液４を払拭するため、図１３に示すように下ヘッド部６１を払拭位置とした状態で清掃具１を後側に引き寄せてワイパー６により洗浄液４を払拭する。太陽光パネル２は傾斜して設置されているため、洗浄液４は容易に下方に流れる。太陽光パネル２の下端まで流動させた洗浄液４は、太陽光パネル２が設置された地面等に落とせばよい。
【００５３】
以上のように本実施例では、太陽光パネル２の汚れを除去する洗浄モップ３と、太陽光パネル２に洗浄液４を吐出するスプレーノズル２２と、太陽光パネル２に付着した洗浄液４を払拭するワイパー６と、スプレーノズル２２を保持する上ヘッド部４１と、洗浄モップ３及びワイパー６を保持する下ヘッド部６１と、を備え、下ヘッド部６１が上ヘッド部４１に回動自在に軸支され、洗浄モップ３の太陽光パネル２への接触とワイパー６の太陽光パネル２への接触とが下ヘッド部６１の回動により切り替わることにより、太陽光パネル２に付着した汚れの除去を行う際に使用する洗浄モップ３と、太陽光パネル２に付着した洗浄液４を払拭する際に使用するワイパー６との切り替えを容易に行うことができる。そのため、汚れの除去と洗浄液４の払拭を行う太陽光パネル２の清掃作業が容易となる。
【００５４】
また、本実施例では、洗浄モップ３を太陽光パネル２に接触させて一方向に移動させると、洗浄モップ３と太陽光パネル２との接触状態を維持でき、ワイパー６を太陽光パネル２に接触させて他方向に移動させると、ワイパー６と太陽光パネル２との接触状態を維持できる構成としたことにより、清掃具１を一方向に移動させることで洗浄モップ３により汚れの除去を行うことができ、清掃具１を他方向に移動させることでワイパー６により洗浄液４の払拭を行うことができる。
【００５５】
また、本実施例では、下ヘッド部６１の回動範囲を規制する当接体５１及びストッパーボルト６８と、下面部５５Ａ及び突当部７４とを備えることにより、下ヘッド部６１の払拭位置と拭き取り位置を定めることができる。
【００５６】
また、本実施例では、下ヘッド部６１が引張コイルばね８１により後ろ斜め上方向に付勢されていることにより、下ヘッド部６１を軸棒５３を中心に回動させて、下ヘッド部６１を拭き取り部１４が下側を向いた位置である、拭き取り位置に保持することができる。
【００５７】
また、本実施例では、スプレーノズル２２が洗浄モップ３よりも前側に配設され、ワイパー６が洗浄モップ３よりも後側に配設されることにより、スプレーノズル２２から洗浄液４を噴射し、清掃具１を前方に移動させることで、洗浄モップ３で太陽光パネル２のパネル表面２Ａを洗浄することができ、清掃具１を後方に移動させることで、パネル表面２Ａに付着した洗浄液４を払拭することができる。すなわち、清掃具１の前後方向への移動のみで、汚れの除去と洗浄液４の払拭を行うことができる。
【００５８】
また、本実施例では、洗浄液４を貯留するタンク２４を備え、洗浄液４をタンクからスプレーノズル２２に供給可能であることにより、清掃現場に水道等の洗浄液４の供給設備が無い場合であっても、タンク２４に貯留した洗浄液４により清掃作業を行うことができる。
【００５９】
また、本実施例では、スプレーノズル２２への洗浄液４の供給を操作可能な操作レバー２７を備えることにより、作業者７が必要な時にのみ洗浄液４の噴射を行うことができ、不要な洗浄液４の噴射を防止することができる。そのため、洗浄液４の消費量を削減することができる。また、落ち難い汚れに対して洗浄液４を集中的に噴射することにより、汚れを除去し易くすることができる。
【００６０】
尚、本発明は、上記実施形態に限定されるものではなく、本発明の要旨の範囲内で種々の変形実施が可能である。例えば、洗浄モップの前側にワイパーを配置し、洗浄モップの後側にノズルヘッドを配置し、下ヘッド部の回動方向を上記実施形態と逆にすることにより、太陽光パネルの上側から洗浄作業を行う際に、洗浄モップを太陽光パネルの傾斜の上側に向かって移動させることにより汚れの除去を行い、傾斜の下側に向かってワイパーを移動させることにより洗浄液の払拭を行うことができる。
【符号の説明】
【００６１】
１  清掃具
２  太陽光パネル（被洗浄体）
３  洗浄モップ（洗浄部）
４  洗浄液
６  ワイパー（払拭部）
７  作業者
１４  拭き取り部
２２  スプレーノズル（吐出部）
２４  タンク（貯留部）
２７  操作レバー（操作部）
４１  上ヘッド部
５１  当接体
５３  軸棒
５５Ａ  下面部
６１  下ヘッド部
６８  ストッパーボルト
７４  突当部
８１  引張コイルばね
【図１】
2019005422.tif 000003
【図２】
2019005422.tif 000004
【図３】
2019005422.tif 000005
【図４】
2019005422.tif 000006
【図５】
2019005422.tif 000007
【図６】
2019005422.tif 000008
【図７】
2019005422.tif 000009
【図８】
2019005422.tif 000010
【図９】
2019005422.tif 000011
【図１０】
2019005422.tif 000012
【図１１】
2019005422.tif 000013
【図１２】
2019005422.tif 000014
【図１３】
2019005422.tif 000015